(57)【要約】      （修正有）【課題】金属屋根耐火試験において、放熱できるようにすると共に、滑り防止ができ、優れたおもり受材を提供する。【解決手段】金属屋根４上と、金属屋根４上に対して積載する、所定重量のおもり５との間に介在するおもり受材１である。おもり受材１において、おもり５と接触する面又は金属屋根４の頂面と接触する面に、浅く且つ僅かの間隔を有する任意の細溝２が多数形成されてなる。細溝２は、何らかの加工にてバリが残るように形成される。【選択図】図１
0003146440.tif 000002
【実用新案登録請求の範囲】
【請求項１】
金属屋根上と、該金属屋根上に対して積載する、所定重量のおもりとの間に介在するおもり受材であって、該おもり受材において、前記おもりと接触する面又は前記金属屋根の頂面と接触する面に、浅く且つ僅かの間隔を有する任意の細溝が多数形成されてなることを特徴とする金属屋根耐火試験におけるおもり受材。
【請求項２】
請求項１において、前記細溝は、何らかの加工にてバリが残るように形成されてなることを特徴とする金属屋根耐火試験におけるおもり受材。
【請求項３】
請求項１又は２において、前記おもり受材は角パイプとしてなり、前記細溝は、４面の対向する２面に形成されてなることを特徴とする金属屋根耐火試験におけるおもり受材。
【請求項４】
請求項１又は２において、前記おもり受材は、アングルとしてなり、前記細溝は、前記アングルの底部の上下面に形成されてなることを特徴とする金属屋根耐火試験におけるおもり受材。
【考案の詳細な説明】
【技術分野】
【０００１】
本考案は、放熱できるようにすると共に、滑り防止ができ、優れたおもり受材を提供できる金属屋根耐火試験におけるおもり受材に関する。
【背景技術】
【０００２】
従来より、金属屋根の耐火試験（３０分耐火）は、その下面側より燃焼（約８００℃）させ、その上面に、おもりを載置して、そのたわみ量を検分して行っている。具体的には、金属製屋根板を幅方向に約２ｍ乃至約４ｍとし、その長手方向を約２．５ｍ乃至約８ｍにする。そのとき、梁間も、約２．５ｍ乃至約８ｍとして試験体として製造する。特許文献１には、防火屋根は存在するが、その耐火試験の具体的内容は開示されていない。
【特許文献１】特開２０００−５４５２７
【０００３】
そのおもりは、単位面積当りの重さ〔平方米当り何キロ（Ｎ)〕を載置するものである。これは、金属屋根が火災時において、消防士が乗っても耐えうるものかを判断して、耐火屋根として認定しているという背景がある。具体的には、金属屋根とおもりとの間に、おもり受材を介在させて、金属屋根の複数の屋根頂部にほぼ均一な荷重が加わるようにしている。
【０００４】
ところで、おもりは、断面ハット型で６５キロが使用されている。このおもり受材としては、図７に示すように、角パイプａに断熱材ｂを巻いたものを使用していた。燃焼試験中に、金属屋根にたわみが生じ（図７実線位参照）、変形したときに、おもり受材がずれる場合には、その時点で終了であるため、滑り防止は必須である。
【０００５】
前記角パイプａに巻いた断熱材ｂの存在によって、該断熱材ｂと前記金属屋根の屋根頂部との箇所の温度が、内部の燃焼温度（約８００℃）によって、放熱することなく保温されることとなり、これによって、その断熱材ｂ箇所の温度が上がり、このため、金属屋根の座屈現象が発生し、たわみ量の増加に発展し、ついには、耐火試験を終了せざるを得なくなることも多い。
【考案の開示】
【考案が解決しようとする課題】
【０００６】
このため、本考案が解決しようとする課題（技術的課題又は目的等）は、おもり受材箇所で、放熱できるようにすると共に、滑り防止ができる、おもり受材の提供を実現することである。
【課題を解決するための手段】
【０００７】
そこで、考案者は上記課題を解決すべく鋭意，研究を重ねた結果、請求項１の考案を、金属屋根上と、該金属屋根上に対して積載する、所定重量のおもりとの間に介在するおもり受材であって、該おもり受材において、前記おもりと接触する面又は前記金属屋根の頂面と接触する面に、浅く且つ僅かの間隔を有する任意の細溝が多数形成されてなることを特徴とする金属屋根耐火試験におけるおもり受材としたことにより、前記課題を解決したものである。
【０００８】
請求項２の考案を、請求項１において、前記細溝は、何等かの加工にてバリが残るように形成されてなることを特徴とする金属屋根耐火試験におけるおもり受材としたことにより、前記課題を解決した。請求項３の考案を、請求項１又は２において、前記おもり受材は、角パイプとしてなり、前記細溝は、４面の対向する２面に形成されてなることを特徴とする金属屋根耐火試験におけるおもり受材としたことにより、前記課題を解決した。請求項４の考案を、請求項１又は２において、前記おもり受材は、アングルとしてなり、前記細溝は、前記アングルの底部の上下面に形成されてなることを特徴とする金属屋根耐火試験におけるおもり受材としたことにより、前記課題を解決したものである。
【考案の効果】
【０００９】
請求項１の考案では、金属屋根耐火試験において、おもり受材箇所で、放熱できるようにすると共に、滑り防止ができ、良好なる耐火試験ができる利点がある。さらに、請求項２においては、請求項１と同様の効果を奏する。請求項３の考案では、金属屋根において、屋根頂面に突出部が出ている場合には、該突出部が突出している場合に、角パイプを使うことで、金属屋根耐火試験を行うことができるし、請求項４の考案では、屋根頂面に突出部が出ていない場合には、アングルを使うことで、金属屋根耐火試験を行うことができる。
【考案を実施するための最良の形態】
【００１０】
以下、本考案の実施形態について図面に基づいて説明すると、図１乃至図２は、本考案品を使用して金属屋根耐火試験を行っている斜視図、平面図などである。１は、金属製の適宜の長さのおもり受材であって、角パイプ１１からなるタイプと、アングル１２からなるタイプとが存在している。前記角パイプ１１からなるおもり受材１は、後述する金属屋根４において、屋根頂面にボルト頭などの突出物が存在する場合に使用される。また、前記アングル１２からなるおもり受材１は、前記金属屋根４において、屋根頂面にボルト頭などの突出物が一切存在しない場合に使用される。
【００１１】
前記おもり受材１において、図３乃至図５に示すように、おもり５と接触する面又は前記金属屋根４の頂面と接触する面に、浅く且つ僅かの間隔を有する任意の細溝２が形成されている。該細溝２は、図３及び図５に示すように、例えば、セーパー加工又はブローチ加工などの何らかの加工にてバリ２ａが残るように多数形成されている。該細溝２は、溝深さが、板厚の約０．３倍程度で、隣接する同細溝２とは約１ｍｍ程度離れて形成されている。
【００１２】
該細溝２としては、平行直線２１として形成されたり（図１及び図３参照）、傾斜直線２２として形成されたり〔図４（Ｂ）参照〕、格子線２３として形成されたり〔図４（Ｃ）及び（Ｄ）参照〕、さらには、円連続線２４として形成されたり〔図４（Ｅ）参照〕、混合円と２５して形成されることもある〔図４（Ｂ）参照〕。何れにしても、任意のケガキ状の細溝２が多数形成されている。
【００１３】
具体的には、角パイプ１１とした場合には、図３に示すように、前記細溝２は、角の４面の対向する２面（上下）に形成されている。或いは、４面全てに細溝２を形成することがある。また、アングル１２とした場合、図５示すように、前記細溝２は、前記アングル１２の底部１２ａの上下面に形成されている。或いは、立上り部１２ｂにも細溝２を形成することがある。前記底部１２ａ，立上り部１２ｂは、図面上でのことであり、どちらにもなり得る部位である。
【００１４】
４は、金属屋根であって、所定間隔をおいた梁４１，４１上の受金具４２に対し、折板としての金属製屋根板４３が、重ね又は連接部相互が結合されて屋根として施工されている。該金属製屋根板４３の下面には、無機質断熱材が貼着されていたり、或いは、合成樹脂フォーム材が貼着されることもある。図１では、重ねタイプであり、その屋根頂面に４３ａにボルト頭突出部４３ｂとで構成されている。連結タイプの場合には、金属属屋根板４３の端部相互が連結されており、その場合には、前記ボルト頭突出部４３ｂは設けられない。
【００１５】
前記おもり５は、筒状のおもり本体５１と、鍔部５２から構成されている。具体的には、断面筒状のおもり本体５１と、この下端より放射方向に対して、鍔部５２が一体的に設けられている。前記おもりの重さは約６５キロ程度で構成されている。また、平面的に見て、図２に示すように、円形状を成されることもあるし、図４に示すように、平面的に見て、図５に示すように、方形状を成されることもある。該方形状のおもり５の場合には、アングル１２の底部１２ａに載置しやすいようにするためである。
【００１６】
作用について説明する。まず、金属屋根４の頂部上に、ボルト頭などの突出物４ｂが存在する場合の耐火試験について説明する。その施工した金属屋根４は、試験場において、梁４１，４１間において、金属製屋根板４３，４３が、炉の上箇所に、葺成施工される。そして、おもり５が、図１及び図２に示すように、おもり受材１，１を介して所定位置に載置される。具体的には、金属屋根４の隣接する屋根頂面４３ａ，４３ａの適宜の箇所上に、金属製屋根板４３の長手方向に直交するようにして、おもり受材１，１が載置され、該おもり受材１，１上に、おもり５が載置される。さらに、適宜の箇所を測定する温度計や、たわみ量を測定する定規などが設置される。
【００１７】
そして、金属屋根４の下で、炉箇所に、点火して燃焼させる。すると、数分で、燃焼温度は、約８００℃となり、さらに、続行される。このとき、本願考案のおもり受材では、バリ２ａ等もあり、前記金属屋根４上と、該金属屋根４上に対して積載する、所定重量のおもり５との間に介在されているが、その接続箇所は、細溝２箇所であり、面接触ではなく、線接触的な接触であり、燃焼温度はその箇所は、保温させないようにして放熱できるようにし、特に、そのバリ２ａ等が存在するために、滑り防止ができる。このため、３０分耐火試験中において、従来存在したような、おもり受材箇所が保温されて座屈現象が発生することを回避して、金属屋根４の性能のみを十二分に試験することができるものであり、優れたおもり受材を提供できる。
【図面の簡単な説明】
【００１８】
【図１】本考案品を使用して金属屋根耐火試験を行っている状態斜視図である。
【図２】（Ａ）は図１の平面図、（Ｂ）は（Ａ）のＺ−Ｚ矢視断面図である。
【図３】（Ａ）は本考案の斜視図、（Ｂ）は（Ａ）のＰ−Ｐ矢視拡大断面図、（Ｃ）は（Ｂ）の（ア）部拡大図、（Ｄ）は（Ａ）のＱ−Ｑ矢視拡大断面図である。
【図４】（Ａ）は本考案の一部斜視図、（Ｂ）乃至（Ｆ）は、本考案の要部細溝のそれぞれ実施形形態の一部平面図である。
【図５】（Ａ）は本考案の別の実施形態の斜視図、（Ｂ）は本考案の別の実施形態の裏面側からの斜視図、（Ｃ）は（Ａ）のＲ−Ｒ矢視拡大断面図、（Ｄ）は（Ａ）のＳ−Ｓ矢視拡大端面図である。
【図６】本考案の別の実施形態のおもり受材を使用している金属屋根耐火試験を行っている一部平面図である。
【図７】従来のおもり受材を使用している金属屋根耐火試験を行っている状態図である。
【符号の説明】
【００１９】
１…おもり受材、１１…角パイプ、１２…アングル、１２ａ…底部、２…細溝、
４…金属屋根、５…おもり。
【図１】
0003146440.tif 000003
【図２】
0003146440.tif 000004
【図３】
0003146440.tif 000005
【図４】
0003146440.tif 000006
【図５】
0003146440.tif 000007
【図６】
0003146440.tif 000008
【図７】
0003146440.tif 000009